(57)【要約】  【課題】  硬質表面の洗浄において、低温で十分な洗浄性能を有し、低温での繰り返し洗浄が可能な洗浄剤組成物の提供。  【解決手段】  （Ａ）グリセリルエーテル（Ｉ）、（Ｂ）非イオン界面活性剤(II)、及び（Ｃ）アルカリ剤を含有し、（Ａ）／（Ｂ）（重量比）＝０．１〜１０である、硬質表面洗浄剤組成物、（Ａ）成分及び（Ｂ）成分を、重量比で（Ａ）／（Ｂ）＝０．１〜１０の割合で含有し、（Ｃ）成分とともに使用される硬質表面洗浄剤キット、この洗浄剤キットを、（Ｃ）成分と混合して使用する、硬質表面の洗浄方法。    Ｒ1ＯＣＨ2−ＣＨ（ＯＨ）−ＣＨ2ＯＨ    （Ｉ）    Ｒ2Ｏ−(ＥＯ)x−(ＰＯ)y−(ＥＯ)z−Ｈ   （II）〔式中、Ｒ1はＣ6-11のアルキル基等、Ｒ2はＣ8-18のアルキル基等、ＥＯはオキシエチレン基、ＰＯはオキシプロピレン基、ｘ＋ｚ＝６〜３０、ｙは、０≦ｙ＜ｘ＋ｚである。〕【選択図】  なし【特許請求の範囲】
【請求項１】
（Ａ）一般式（Ｉ）
Ｒ1ＯＣＨ2−ＣＨ（ＯＨ）−ＣＨ2ＯＨ      （Ｉ）
〔式中、Ｒ1は炭素数６〜１１の直鎖若しくは分岐鎖のアルキル基又はアルケニル基を示す。〕
で表されるグリセリルエーテル、（Ｂ）一般式(II)
Ｒ2Ｏ−(ＥＯ)x−(ＰＯ)y−(ＥＯ)z−Ｈ    （II）
〔式中、Ｒ2は炭素数８〜１８の直鎖若しくは分岐鎖のアルキル基又はアルケニル基、あるいは炭素数１〜１０の直鎖若しくは分岐鎖のアルキル基を有するアルキルフェニル基を示し、ＥＯはオキシエチレン基、ＰＯはオキシプロピレン基を示す。ｘ及びｚはエチレンオキサイドの平均付加モル数を示す数で、ｘ＋ｚ＝６〜３０である。ｙはプロピレンオキサイドの平均付加モル数を示す数で、０≦ｙ＜ｘ＋ｚである。尚、ｙが０でないとき、ＥＯ及びＰＯはランダム付加でもブロック付加でも良い。〕
で表される非イオン界面活性剤、及び（Ｃ）アルカリ剤を含有し、（Ａ）成分と（Ｂ）成分の配合割合が、重量比で（Ａ）／（Ｂ）＝０．１〜１０である、硬質表面洗浄剤組成物。
【請求項２】
更に、（Ｄ）水溶性高分子カルボン酸を含有する、請求項１記載の硬質表面洗浄剤組成物。
【請求項３】
更に、（Ｅ）キレート剤を含有する、請求項１又は２記載の硬質表面洗浄剤組成物。
【請求項４】
鋼板用である、請求項１〜３いずれかに記載の硬質表面洗浄剤組成物。
【請求項５】
請求項１記載の（Ａ）成分及び（Ｂ）成分を、重量比で（Ａ）／（Ｂ）＝０．１〜１０の割合で含有し、（Ｃ）成分とともに使用される硬質表面洗浄剤キット。
【請求項６】
請求項５記載の洗浄剤キットを、（Ｃ）成分と混合して使用する、硬質表面の洗浄方法。
【請求項７】
硬質表面が鋼板である、請求項６記載の洗浄方法。
【発明の詳細な説明】
【技術分野】
【０００１】
本発明は、金属、ガラス、陶磁器、プラスチック等の硬質表面の洗浄に用いられ、低温においても良好な洗浄力を有する硬質表面洗浄剤組成物、及び硬質表面洗浄剤キット、並びに硬質表面の洗浄方法に関する。
【背景技術】
【０００２】
従来より、金属、ガラス、陶磁器、プラスチックス等の硬質表面の洗浄には、アルカリ洗浄剤が幅広く用いられている。アルカリ洗浄剤が使用されている分野では、洗浄性を向上させるために、室温より洗浄温度を上げて洗浄を行うことが多い。例えば、製鉄所等において鋼板（鋼帯）を連続洗浄する場合、一般的には洗浄液温度は７０〜８０℃である。また、外食産業等において自動食器洗浄機を用いて、ガラス、陶磁器、プラスチックス等を洗浄する場合、洗浄温度は６０〜７０℃が一般的である。しかし、洗浄コストの観点から、洗浄温度を低下させても、洗浄性が良好な硬質表面洗浄剤が求められていた。
【０００３】
これまで、低温洗浄能力に優れる硬質表面用のアルカリ洗浄剤としては、ポリオキシエチレンアルキルエーテル、ポリオキシエチレンポリオキシプロピレンアルキルエーテル、ポリオキシエチレンアルキルフェニルエーテル、ポリオキシエチレンポリオキシプロピレンアルキルフェニルエーテル等の非イオン界面活性剤を含む洗浄剤組成物（特許文献１、特許文献２）等が知られているが、低温（５０℃以下）での繰り返し洗浄性の観点から、いずれの組成物も充分とは言えない。
【０００４】
また、グリセリルエーテルを含む洗浄剤組成物（特許文献３、特許文献４）等も知られているが、いずれの組成物も、低温で洗浄する能力は、充分とは言えない。
【特許文献１】特開平１０−３２４９００号公報
【特許文献２】特開平１０−２８０１７９号公報
【特許文献３】特開平５−１９４９９９号公報
【特許文献４】特開平１１−１８９７９６号公報
【発明の開示】
【発明が解決しようとする課題】
【０００５】
本発明の課題は、金属、ガラス、陶磁器、プラスチックス等の硬質表面の洗浄において、低温（５０℃以下、以下同じ）で十分な洗浄性能を有し、低温での繰り返し洗浄が可能な洗浄剤組成物を提供することにある。
【課題を解決するための手段】
【０００６】
本発明は、（Ａ）一般式（Ｉ）
Ｒ1ＯＣＨ2−ＣＨ（ＯＨ）−ＣＨ2ＯＨ      （Ｉ）
〔式中、Ｒ1は炭素数６〜１１の直鎖若しくは分岐鎖のアルキル基又はアルケニル基を示す。〕
で表されるグリセリルエーテル、（Ｂ）一般式(II)
Ｒ2Ｏ−(ＥＯ)x−(ＰＯ)y−(ＥＯ)z−Ｈ    （II）
〔式中、Ｒ2は炭素数８〜１８の直鎖若しくは分岐鎖のアルキル基又はアルケニル基、あるいは炭素数１〜１０の直鎖若しくは分岐鎖のアルキル基を有するアルキルフェニル基を示し、ＥＯはオキシエチレン基、ＰＯはオキシプロピレン基を示す。ｘ及びｚはエチレンオキサイドの平均付加モル数を示す数で、ｘ＋ｚ＝６〜３０である。ｙはプロピレンオキサイドの平均付加モル数を示す数で、０≦ｙ＜ｘ＋ｚである。尚、ｙが０でないとき、ＥＯ及びＰＯはランダム付加でもブロック付加でも良い。〕
で表される非イオン界面活性剤、及び（Ｃ）アルカリ剤を含有し、（Ａ）成分と（Ｂ）成分の配合割合が、重量比で（Ａ）／（Ｂ）＝０．１〜１０である、硬質表面洗浄剤組成物、更に、（Ｄ）水溶性高分子カルボン酸を含有する、硬質表面洗浄剤組成物、更に、（Ｅ）キレート剤を含有する、硬質表面洗浄剤組成物を提供する。
【０００７】
また本発明は、上記（Ａ）成分及び（Ｂ）成分を、重量比で（Ａ）／（Ｂ）＝０．１〜１０の割合で含有し、（Ｃ）成分とともに使用される硬質表面洗浄剤キット、並びにこの洗浄剤キットを、（Ｃ）成分と混合して使用する、硬質表面の洗浄方法を提供する。
【発明の効果】
【０００８】
本発明の特徴は、特定のグリセリルエーテルである（Ａ）成分と、特定の非イオン界面活性剤である（Ｂ）成分を特定の比率で配合することにあり、これにより、（Ｂ）成分の乳化力、すすぎ易さを損なうことなく、（Ｂ）成分単独よりも表面張力を下げ、油汚れへの浸透力を上げることが可能となったのである。従って、本発明の洗浄剤組成物は、洗浄時間が最大でも数秒という極めて短い時間において、低温で効率よく鋼板等の硬質表面に付着した油分を洗浄することが可能であり、低温での繰り返し洗浄性が求められる工業用洗浄剤、特に非常に短時間で脱脂性を要求される鉄鋼等の鋼板用洗浄剤分野に有用である。
【０００９】
本発明の洗浄剤組成物は低温で、十分な洗浄性能を有するが、本発明の洗浄剤組成物を用いて５０℃より高い温度で洗浄した場合においても、先に示した公知の硬質表面洗浄剤より優れた性能を示すことは言うまでもない。
【発明を実施するための最良の形態】
【００１０】
本発明に用いられる（Ａ）成分のグリセリルエーテルは、前記一般式（Ｉ）で表されるが、一般式（Ｉ）において、Ｒ1は、洗浄剤の低ＣＯＤ化、並びに洗浄性の観点から、炭素数６〜１１の直鎖若しくは分岐鎖のアルキル基又はアルケニル基であり、炭素数６〜１０の直鎖又は分岐鎖のアルキル基が好ましく、炭素数８〜１０の直鎖又は分岐鎖のアルキル基が更に好ましく、炭素数８〜１０の分岐鎖アルキル基が特に好ましい。Ｒ1の炭素数が、６以上であると、グリセリルエーテルが水中へ可溶化せず、高濃度にしなくても高い洗浄力を得ることができる。
【００１１】
本発明に用いられる（Ｂ）成分の非イオン界面活性剤は、前記一般式（II）で表されるが、一般式（II）において、Ｒ2は炭素数８〜１８の直鎖若しくは分岐鎖のアルキル基又はアルケニル基、あるいは炭素数１〜１０の直鎖若しくは分岐鎖のアルキル基を有するアルキルフェニル基であり、好ましくは炭素数１０〜１４の直鎖若しくは分岐鎖のアルキル基又はアルケニル基である。
【００１２】
一般式（II）において、エチレンオキサイドの平均付加モル数を示すｘ及びｚは、ｘとｚの和が６〜３０であり、乳化力を上げ、繰り返し洗浄性を高め、且つ操業時の泡立ち性を抑制する観点から、８〜２０が好ましく、８〜１６がより好ましく、１０〜１６が特に好ましい。更に、ｘ及びｚはそれぞれ１以上の数であることが好ましい。また、プロピレンオキサイドの平均付加モル数ｙは、０以上で、良好な洗浄性を得る観点から、エチレンオキサイドの平均付加モル数であるｘとｚの和より小さい数であり、操業時の泡立ち性を抑制する観点から、０〜６が好ましく、０〜５がより好ましい。また、ｙは０より大きいことが更に好ましい。
【００１３】
一般式(II)で表される非イオン界面活性剤において、ｙが０でないとき、ＥＯ及びＰＯはランダム付加体でもブロック付加体でも良いが、ブロック付加体が好ましく、(ＥＯ)x、(ＰＯ)y、(ＥＯ)zの順にブロック付加しているものが更に好ましい。
【００１４】
本発明の洗浄剤組成物中の（Ａ）成分と（Ｂ）成分の配合割合は、乳化力、油汚れへの浸透力、被洗浄物からのすすぎ性及び洗浄性を全て満足させる観点から、（Ａ）／（Ｂ）の重量比が０．１〜１０であるが、更に高い洗浄性を得る観点からは、０．５〜９が好ましく、１〜７がより好ましく、１．５〜５が特に好ましい。
【００１５】
本発明の洗浄剤組成物中の（Ａ）成分の含有量は０．００１〜１０重量％が好ましく、洗浄性と経済性、低ＣＯＤ化の観点から０．０１〜１０重量％がより好ましく、０．１〜５重量％が特に好ましい。また、本発明の洗浄剤組成物中の（Ｂ）成分の含有量は０．００１〜１０重量％が好ましく、洗浄性と経済性、低ＣＯＤ化の観点から０．０１〜１０重量％がより好ましく、０．１〜５重量％が特に好ましい。
【００１６】
本発明に用いられる（Ｃ）成分としては、水溶性のアルカリ剤であればいずれのものも使用できる。具体例としては、水酸化ナトリウム、水酸化カリウム等のアルカリ金属の水酸化物、オルソ珪酸ナトリウム、メタ珪酸ナトリウム、セスキ珪酸ナトリウム、一号珪酸ナトリウム、二号珪酸ナトリウム、三号珪酸ナトリウム等の珪酸塩、リン酸二水素ナトリウム、リン酸水素二ナトリウム、リン酸三ナトリウム、ピロリン酸ナトリウム、トリポリリン酸ナトリウム、ヘキサメタリン酸ナトリウム等のリン酸塩、炭酸二ナトリウム、炭酸水素ナトリウム、炭酸二カリウム、炭酸水素カリウム等の炭酸塩、ホウ酸ナトリウム等のホウ酸塩等が挙げられる。２種以上のアルカリ剤を組み合わせて用いても良い。これらのアルカリ剤のうち好ましくは水酸化ナトリウム、水酸化カリウム、オルソ珪酸ナトリウム、メタ珪酸ナトリウムであり、より好ましくは水酸化ナトリウム、水酸化カリウムである。
【００１７】
本発明の洗浄剤組成物中の（Ｃ）成分の含有量は、０．１〜５０重量％が好ましく、洗浄性と経済性の観点から０．５〜１０重量％がより好ましい。
【００１８】
本発明の洗浄剤組成物は、（Ｄ）成分として水溶性高分子カルボン酸を配合することにより、保存安定性や洗浄性能を更に向上させることができる。本発明に用いられる水溶性高分子カルボン酸としては、一般式(III)で表される化合物が挙げられる。
【００１９】
【化１】
2005126553.tif 000002
【００２０】
〔式中、Ｒ3〜Ｒ8は同一又は異なって、水素原子、炭素数１〜５のアルキル基、炭素数１〜５のアルコキシ基、ＣＯＯＭ又はＯＨを示し、Ｍは水素原子、アルカリ金属、炭素数１〜４のアルキルアミン又は炭素数１〜６のアルカノールアミンを示し、ｍ及びｎは、それぞれかっこ内の構成単位のモル数を示し、ｍ／ｎ（モル比）は０／１０〜１０／１である。〕
一般式(III)の両末端は特に限定されないが、水素原子、ＯＨ、炭素数１〜５のアルキル基、炭素数１〜５のアルコキシ基又はＳＯ3Ｍ（Ｍは前記の意味を示す）等が挙げられ、同一でも異なっていても良い。また、一般式(III)で表される化合物の重量平均分子量（Ｍｗ）は１，０００〜１００，０００が好ましく、３，０００〜５０，０００がより好ましく、５，０００〜２０，０００が特に好ましい。一般式(III)で表される化合物の重合形態はブロックでもランダムでもよい。
【００２１】
一般式(III)で表される化合物の具体例としては、アクリル酸ホモポリマー、アクリル酸−マレイン酸共重合体、α−ヒドロキシアクリル酸ホモポリマー、炭素数５のオレフィン−マレイン酸共重合体、イソブチレン−マレイン酸共重合体等、及びこれらのアルカリ金属塩もしくはアミン塩等が挙げられる。好ましくはアクリル酸ホモポリマー、アクリル酸−マレイン酸共重合体、又はこれらのナトリウム塩である。具体的な製品名としては、花王（株）製ポイズ５４０、ポイズ５３０、ポイズ５２１、ポイズ５２０、日本パーオキサイド（株）製ペールプラック２５０、ペールプラック１２００、ペールプラック５０００、日本ゼオン（株）製クインフロー５４０、クインフロー５４２、クインフロー５４３、クインフロー５６０、クインフロー６４０、クインフロー７５０、東亞合成（株）製アロンＴ−４０（Ｍ）、（株）クラレ製イソバン０６、イソバン０４、イソバン６００、（株）日本触媒製アクアリックＤＬ１００等が挙げられる。２種以上の水溶性高分子カルボン酸を組み合わせて用いても良い。
【００２２】
本発明の洗浄剤組成物中の（Ｄ）成分の含有量は、水の軟水化性能、洗浄性及び低ＣＯＤ化の観点から、０．０５〜１．０重量％が好ましく、０．１〜０．５重量％が更に好ましい。０．０５重量％以上とすることで、工業用水等の硬度の高い水を用いた場合に、カルシウムイオンやマグネシウムイオンが汚れとして混入してくる脂肪酸等と水不溶性の塩を作り、洗浄不良となるのを効果的に抑制することができる。
【００２３】
本発明の洗浄剤組成物は、（Ｅ）成分としてキレート剤を配合することにより、更に洗浄性能を向上させることができる。キレート剤としては、グリセリン酸、テトロン酸、ペントン酸、ヘキソン酸、ヘプトン酸等のアルドン酸類のアルカリ金属塩もしくは低級アミン塩、ニトリロ三酢酸、エチレンジアミン四酢酸、エチレンジアミン二酢酸、テトラエチレンテトラミン六酢酸等のアミノカルボン酸類のアルカリ金属塩もしくは低級アミン塩、クエン酸、リンゴ酸等のオキシカルボン酸類のアルカリ金属塩もしくは低級アミン塩、アミノトリメチレンホスホン酸、ヒドロキシエチリデンジホスホン酸、エチレンジアミンテトラメチレンホスホン酸、ジエチレントリアミンペンタメチレンホスホン酸等のホスホン酸類のアルカリ金属塩もしくは低級アミン塩や、エタノールアミン、ジエタノールアミン、トリエタノールアミン等のアルカノールアミン塩が挙げられる。これらのキレート剤のうち好ましくは、グルコン酸、グルコヘプトン酸、エチレンジアミン四酢酸、クエン酸、リンゴ酸、ヒドロキシエチリデンジホスホン酸のアルカリ金属塩もしくは低級アミン塩であり、特に好ましくは、グルコン酸ナトリウム、グルコヘプトン酸ナトリウム、エチレンジアミン四酢酸ナトリウム、クエン酸ナトリウム、ヒドロキシエチリデンジホスホン酸ナトリウムである。
【００２４】
本発明の洗浄剤組成物中の（Ｅ）成分の含有量は、洗浄性及び経済性の観点から０．０１〜５重量％が好ましく、０．０５〜２重量％が更に好ましい。
【００２５】
本発明の洗浄剤組成物には、洗浄性を向上させる目的で、上記（Ａ）成分及び（Ｂ）成分以外に、洗浄剤組成物に一般的に使用されている非イオン界面活性剤や、アニオン界面活性剤、両性界面活性剤等を、ＣＯＤ及びコストの上昇を考慮した上で配合することも可能である。
【００２６】
硬質表面用の洗浄剤は濃縮製品として市販され、洗浄時に水等の水溶性媒体により希釈し、使用されるのが一般的である。本発明の洗浄剤組成物は、必要により、洗浄剤の分離を抑制するための可溶化剤や、洗浄剤を安定な懸濁状態にするスラリー化剤を用いて濃縮洗浄剤組成物の形態とすることもできる。
【００２７】
本発明に用いられる可溶化剤としては、下記一般式（IV）〜（VI）で表される化合物が挙げられる。
【００２８】
Ｒ10−Ｘ−（ＣＨ2）pＣＯＯＭ1        （IV）
Ｒ11ＣＯＯＭ2                        （Ｖ）
Ｒ12ＳＯ3Ｍ3                         （VI）
〔式中、Ｒ10、Ｒ11及びＲ12は、それぞれ炭素数３〜２２の飽和もしくは不飽和の直鎖もしくは分岐鎖の脂肪族炭化水素基又は炭素数５〜１８の芳香族炭化水素基を示し、Ｘは基＞ＮＨ、＞Ｎ(ＣＨ2)qＣＯＯＭ1又は＞ＣＨＣＯＯＭ1を示し、Ｍ1、Ｍ2及びＭ3はそれぞれ水素原子、アルカリ金属、炭素数１〜４の脂肪族アミン、アンモニア又はアルカノールアミンを示し、ｐ及びｑはそれぞれ１〜３の整数を示す。〕
一般式（IV）で表される化合物としては、例えば、炭素数６〜１８のアルケニルコハク酸及びその塩、又は下記式で表される化合物が挙げられる。
【００２９】
【化２】
2005126553.tif 000003
【００３０】
一般式（Ｖ）で表される化合物としては、例えば、カプロン酸、エナント酸、カプリル酸、カプリン酸、ラウリン酸、酪酸、吉草酸、イソ酪酸、２−エチルヘキサン酸及びその塩が挙げられる。一般式（VI）で表される化合物としては、上記一般式（Ｖ）で表されるカルボン酸のカルボキシル基をスルホン酸基に変更したものが挙げられる。
【００３１】
上記一般式（IV）〜（VI）におけるＭ1、Ｍ2及びＭ3の具体例としては、メチルアミン、エチルアミン、プロピルアミン、ブチルアミン、エチレンジアミン、ジエチレントリアミン、アンモニア、モノエタノールアミン、ジエタノールアミン、トリエタノールアミン、他の炭素数２〜１０のアルカノールアミン、カリウム、ナトリウム、水素原子等が挙げられる。
【００３２】
本発明に用いられるスラリー化剤としては、前記（Ｄ）成分の水溶性高分子カルボン酸や、ナフタレンジカルボン酸、ナフタレンジスルホン酸もしくはフタル酸及びこれらのアルカリ金属塩もしくはアミン塩等が挙げられる。
【００３３】
また、本発明の洗浄剤組成物には、洗浄の工程で発生する泡を抑制する消泡剤、例えば、シリコン系消泡剤、高級アルコール系消泡剤、高級脂肪酸及びその塩、プルロニック型コポリマー、テトラニック型コポリマー、ポリエチレングリコール、ポリプロピレングリコール等を配合することもできる。
【００３４】
本発明の洗浄剤組成物を濃縮洗浄剤の形態で提供する場合には、その組成は特に限定されないが、優れた製品安定性及び配管輸送性を得る観点から、（Ａ）成分の含有量は、０．１〜２０重量％が好ましく、０．５〜１０重量％がより好ましく、０．５〜５重量％が特に好ましい。（Ｂ）成分の含有量は、０．１〜２０重量％が好ましく、０．５〜１０重量％がより好ましく、０．５〜５重量％が特に好ましい。（Ｃ）成分の含有量は、１〜５０重量％が好ましく、１５〜４５重量％がより好ましい。（Ｄ）成分を含有させる場合は、その含有量は、０．５〜１０重量％が好ましく、１．０〜８重量％がより好ましく、１．０〜６重量％が特に好ましい。また、（Ｅ）成分を含有させる場合はその含有量は、０．１〜２０重量％が好ましく、０．５〜１０重量％がより好ましい。可溶化剤もしくはスラリー化剤の含有量は、０．０５〜４０重量％が好ましく、０．１〜１０重量％がより好ましいが、洗浄剤組成物が安定であれば可溶化剤又はスラリー化剤は用いなくてもよい。
【００３５】
本発明においては、上記（Ａ）成分及び（Ｂ）成分を、重量比で（Ａ）／（Ｂ）＝０．１〜１０の割合で含有する洗浄剤キットを、実際の洗浄時に（Ｃ）成分と混合して用いることも可能である。本発明の洗浄剤キット中の（Ａ）成分の含有量は、０．１〜９１重量％が好ましく、０．５〜８８重量％がより好ましく、０．５〜８３重量％が特に好ましい。（Ｂ）成分の含有量は、０．１〜９１重量％が好ましく、０．５〜８８重量％がより好ましく、０．５〜８３重量％が特に好ましい。また、（Ａ）成分と（Ｂ）成分の割合は、重量比で（Ａ）／（Ｂ）＝０．１〜１０であり、更に高い洗浄性を得る観点からは、０．５〜９が好ましく、１〜７がより好ましく、１．５〜５が特に好ましい。
【００３６】
本発明の洗浄剤キットを用いて、鋼板等の硬質表面を洗浄する際には、この洗浄剤キットを、（Ｃ）成分と混合し、必要に応じて更に水等で希釈して洗浄液として用いる。この時の（Ｃ）成分の混合割合は、上記本発明の洗浄剤組成物中の（Ｃ）成分の含有量と同様である。
【００３７】
本発明の硬質表面洗浄剤組成物又は洗浄剤キットは、金属、ガラス、陶磁器、プラスチックス等を低温で洗浄する際に有効であり、特に製鉄所等における鋼板の連続洗浄、すなわち浸漬洗浄、スプレー洗浄、ブラシ洗浄、電解洗浄等においてその効果を発揮することができる。
【００３８】
本発明の硬質表面洗浄剤組成物又は洗浄剤キットは、製鉄所において鋼板（鋼帯）を連続洗浄する場合、特に電解洗浄する際に用いられる鋼板用アルカリ洗浄剤として好ましい。鋼板の洗浄設備は通常、コイル状に巻き取られた鋼板（鋼帯）を連続して洗浄する構造になっており、３０〜１１００ｍ／分程度の速度で操業される。従って、鋼板の洗浄時間は最大でも数秒という極めて短い時間である。鋼板用の洗浄剤は、そのような短時間の間に鋼板表面に付着している０．１〜３ｇ／ｍ2の油分を落とさなければならず、非常に高い洗浄性が要求される。本発明の洗浄剤組成物又は洗浄剤キットは、洗浄時間が最大でも数秒という極めて短い時間において、低温で効率よく鋼板表面に付着した油分を洗浄することが可能である。
【実施例】
【００３９】
例中の％は、特記しない限り重量％である。
【００４０】
実施例１〜１５及び比較例１〜６
表１に示す組成を有する本発明及び比較の洗浄剤組成物（残量は脱イオン水である）を調製し、下記方法により、鋼板洗浄試験を行い、鋼板の洗浄性を評価した。結果を表１に示す。
【００４１】
＜鋼板洗浄試験＞
（１）被洗浄鋼板
被洗浄鋼板はすべて、厚さ０．５ｍｍに冷間圧延された、付着油分量２００ｍｇ／ｍ2の鋼板を縦５０ｍｍ×横２５ｍｍの大きさに切断して用いた。
【００４２】
（２）疑似劣化洗浄液の調製
圧延機に付着し堆積したスカムから油分を溶剤で抽出して得たスカム抽出油１．０重量％を、洗浄剤組成物に添加し、十分撹拌して疑似劣化洗浄液を調製した。
【００４３】
（３）洗浄及びすすぎ方法
洗浄剤組成物（汚れ無し洗浄液）及び疑似劣化洗浄液中に、それぞれ設置した縦１００ｍｍ×横５０ｍｍの大きさの電極板１対（電極板間距離は２０ｍｍ）から等距離かつ中心に被洗浄鋼板を１秒浸漬し、その後電流密度１０Ａ／ｄｍ2で鋼板電位を負から正に一度切り替えて、それぞれ ０．５秒ずつ電流を流し電解洗浄した。その後引き続きスプレーヘッドから１０ｃｍの位置で１秒間水スプレーリンス（水温２０℃、水圧０．２ＭＰａ）し、温風乾燥した。なお、試験洗浄液の温度は４０℃であった。
【００４４】
（４）残存付着油分量測定方法
汚れ無し洗浄液及び疑似劣化洗浄液について、それぞれ洗浄及びすすぎ後の鋼板付着油分量を鋼板付着油分量測定装置ＥＭＩＡ−１１１（（株）堀場製作所製）を用い測定し、５枚の平均を測定値とし、下記基準で鋼板の洗浄性を評価した。
×：残存付着油分量が２０ｍｇ／ｍ2以上
○：残存付着油分量が１０ｍｇ／ｍ2以上２０ｍｇ／ｍ2未満
◎：残存付着油分量が１０ｍｇ／ｍ2未満
尚、疑似劣化洗浄液を用いた評価は、繰り返し洗浄性を評価するために行った。即ち、繰り返し洗浄性評価は、鋼板表面に付着した油分が洗浄槽に蓄積した場合の洗浄性評価であるので、疑似劣化洗浄液を用いて行った。
【００４５】
【表１】
2005126553.tif 000004
【００４６】
＊：実施例３のＲ2は１−ヘキシルオクチル基、実施例８のＲ2はノニルフェニル基であり、その他は直鎖アルキル基である。また、ｙ≠０の時は、(ＥＯ)x、(ＰＯ)y、(ＥＯ)zの順にブロック付加している。
【００４７】
実施例１６〜１９
表２に示す希釈前の組成を有する洗浄剤組成物（残量は脱イオン水）を調製後、表２に示す希釈後の濃度になるように脱イオン水にて希釈して試験洗浄液を調製した。実施例１６は表２に示す組成の洗浄剤組成物を直接調製して、試験洗浄液とした。これらの洗浄液について、被洗浄鋼板として付着油分量４００ｍｇ／ｍ2のものを用いる以外は実施例１〜１５と同様にして鋼板洗浄試験を行い、鋼板の洗浄性を評価した。結果を表２に示す。
【００４８】
【表２】
2005126553.tif 000005